(57)【要約】【課題】  バーフレームとレンズ支えリム部を有し、高張力糸にてレンズを支えるナイロール式メガネの提供。【解決手段】  レンズ外周が当接する当り片１０，１０を上片９の両側に設けたレンズ支えリム部２とを有し、上記レンズ支えリム部２とバーフレーム１のブリッジ部３に穴１３ａ，１３ｂ・・・を設けると共にこれら各穴に高張力糸１２を挿通した構造とし、上記レンズ支えリム部２の当り片１０にレンズ外周を当接すると共に高張力糸１２をレンズ外周に形成した溝に嵌め、高張力糸１２に作用する張力にてレンズ支えリム部２をブリッジ３に固定している。【選択図】    図１
2018112730.tif 000002
【特許請求の範囲】
【請求項１】
ナイロン糸などの高張力糸を備えたナイロール式メガネにおいて、中央にブリッジ部を設けてその両側にはフレームを延ばしたバーフレームと、フレームの先端には継手を介して折畳み出来るように連結したツルと、レンズ外周が当接する当り片を上片の両側に設けたレンズ支えリム部とを有し、上記レンズ支えリム部とバーフレームのブリッジ部に穴を設けると共にこれら各穴に高張力糸を挿通した構造とし、上記レンズ支えリム部の当り片にレンズ外周を当接すると共に高張力糸をレンズ外周に形成した溝に嵌めることで、高張力糸に作用する張力にてレンズ支えリム部をブリッジ部に固定して構成したことを特徴とするナイロール式メガネ。
【請求項２】
上記バーフレームのブリッジ部の両先端部、レンズ支えリム部の上片の両先端部、当り片の上端部と先端部に形成した穴に上記高張力糸を挿通した請求項１記載のナイロール式メガネ。
【請求項３】
上記当り片をレンズの下側約１／２に当接する長さとした請求項１、又は請求項２記載のナイロール式メガネ。
【請求項４】
上記当り片をレンズの内側一部が当接する長さとし、バーフレームにはガイドを設けると共に、ガイドが係合する凹部をレンズ上縁に形成した請求項１、又は請求項２記載のナイロール式メガネ。
【請求項５】
上記当り片をレンズの内側一部が当接する長さとし、バーフレームにはガイドホールを設けると共に、当り片には高張力糸を誘導する凹溝を設け、この凹溝に高張力糸を係止すると共に当り片の表面に露出して凸部を形成し、この凸部に係合する凹部をレンズ内縁に形成した請求項１、又は請求項２記載のナイロール式メガネ。
【請求項６】
上記レンズ支えリム部の上片をブリッジ部にネジ止めし、又はロー付けし、又はブリッジ部と一体成形し、高張力糸はレンズ支えリム部の当り片に形成した穴に挿通した請求項１、請求項２、請求項３、請求項４、又は請求項５記載のナイロール式メガネ。
【発明の詳細な説明】
【技術分野】
【０００１】
本発明はナイロン糸等の高張力糸を備えてレンズを保持することが出来るフレームで、色々なレンズ形状、レンズサイズに対応出来、また左右のレンズ間距離を調整できるようにしたナイロール式メガネに関するものである。
【背景技術】
【０００２】
メガネフレームの１つの型式としてナイロールフレームが多用されている。このナイロールフレームとはナイロン糸（水糸）などの高張力糸にてレンズ半分を保持するフレームであって、例えば図９に示しているような形態を成している。
同図に示すフレームはあくまでも基本形態であり、実際には色々なデザインが施されて構成されることに成るが、円弧状のハーフリム（イ） の両端に水糸（ロ） の先端を止着し、ハーフリム(イ) と水糸（ロ） によってレンズ(ハ) が保持される。
【０００３】
そして両ハーフリム(イ) 、(イ) はブリッジ（ニ)にて連結され、ハーフリム（イ）、（イ）の外側にはヨロイ(ホ) 、(ホ) が取付けられている。ツル（ヘ）、（ヘ）はこのヨロイ（ホ）、（ホ）に蝶番（ト）、（ト）を介して折り畳み出来るように取付けられている。
【０００４】
このナイロールフレームは両ハーフリム（イ）と水糸（ロ）にてレンズ（ハ）を保持している為に、リング状のフルリムを備えたメガネフレームより重量は軽くなり、特にフロント部が軽くなることで長時間にわたってメガネを掛けていても疲れが少ない。
また、レンズ（ハ）の下側半分が水糸（ロ）である為に視界は広くなるといった利点もある。
【０００５】
同図に示すナイロールフレームに限るものではないが、円弧状に湾曲したハーフリムの形状が定まると、このハーフリムに嵌って水糸にて保持されるレンズの形状は必然的に定まり、同時にレンズの大きさも定まってしまう。
また、ブリッジ（ニ）にて連結される両ハーフリム（イ）、（イ）は固定され、その為に該ハーフリム（イ）、（イ）に嵌る両レンズ（ハ）、（ハ）間の距離も定まる。
勿論、リング状のフルリムを備えたメガネフレームの場合であれば、なおさらレンズの形状や大きさ及びレンズ間距離は固定されてしまう。
【０００６】
レンズの形状並びに大きさが自由になるフレームとしては、リムを持たない縁なしメガネと称されるものがある。この縁なしメガネはブリッジを介して両レンズを左右対称となるように直接ネジ止めし、またレンズの外側にはヨロイが直接ネジ止めされる。そして、ブリッジのサイズを変えることで両レンズ間の距離も変えることが可能となる。
しかし、リムを持たないでレンズに穴を開け、この穴にネジを挿入して直接ネジ止めすることで、ツルを開く際の応力及びフレームが捩られる際の応力は全てレンズに働き、その為にレンズが損傷する虞がある。
【０００７】
水糸を用いて構成したメガネフレームとしては、例えば特開平９−２５８１４１号に係る「ナイロールフレーム」、特開２００１−１９４６３１号に係る「ナイロールフレーム」など、そしてリムを持たないメガネフレームとしては、例えば特開２００２−２４４０８３号に係る「縁なしメガネ」、特開２００６−５８７１７号に係る「縁なしメガネ」など、色々知られている。
【０００８】
【特許文献１】特開平９−２５８１４１号に係る「ナイロールフレーム」
【特許文献２】特開２００１−１９４６３１号に係る「ナイロールフレーム」
【特許文献３】特開２００２−２４４０８３号に係る「縁なしメガネ」
【特許文献４】特開２００６−５８７１７号に係る「縁なしメガネ」
【発明の開示】
【発明が解決しようとする課題】
【０００９】
このように、水糸にてレンズを保持するナイロールフレームやリムを用いないでレンズを直接ネジ止めする縁なしメガネに関しては従来から色々知られているが、従来のナイロールフレームや縁なしメガネには上記のごとき問題がある。
本発明が解決しようとする課題はこれら問題点であり、レンズ形状が変わっても、またレンズサイズが変更に成っても、さらには両レンズ間の距離を各自の瞳孔距離に合うように調整することが出来るナイロール式メガネを提供する。
【課題を解決するための手段】
【００１０】
本発明のメガネはナイロン糸などの高張力糸を備え、レンズ支えリム部に嵌ったレンズを高張力糸にて拘束して構成している。そこで、レンズの外周には溝が形成され、この溝に高張力糸が嵌ってレンズを拘束することが出来る構造であり、基本的な形態は従来のナイロール式メガネと共通している。
ところで、本発明では上部のバーフレームとレンズ支えリム部及びレンズの組み合わせで構成され、レンズ支えリム部はバーフレームの中央ブリッジ部に取付けられ、そしてバーフレームの両先端には継手を介してツルが折り畳み出来るように取付けられている。
【００１１】
上記レンズ支えリム部はレンズの内縁から下縁にかけての領域を拘束するが出来る形状とし、その他の領域は高張力糸がレンズ外周溝に嵌って拘束している。そして、レンズ支えリム部は上記ブリッジ部に接合され、レンズを保持する同じ高張力糸によって結合されている。
すなわち、高張力糸がレンズ外周溝に嵌ることで該高張力糸に作用する張力を利用してバーフレームのブリッジ部にレンズ支えリム部を締結することが出来る。
しかし、時にはレンズ支えリム部をブリッジ部にネジ止めしたり、ロウ付けする場合もあり、又はレンズ支えリム部をバーフレームと一体的に形成することも可能である。
【発明の効果】
【００１２】
本発明に係るナイロール式メガネは、上部のバーフレームとレンズ支えリム部、及びレンズを組み合せて構成し、そしてこれら各部品を１本の高張力糸を介して組付けられている。したがって、各自の好みに応じて上記部品を適当に組み合わせてメガネを構成することが可能であり、従来のような完成したメガネフレームを選択して自分の目にあったレンズを入れる場合とは異なり、各自に合わせてメガネをその場で組付けることが出来る。
【００１３】
したがって、メガネの小売店にてメガネを構成する各種の部品を準備しておけば、その場で自分に適したメガネを作ることが可能となる。
そして、本発明のメガネはスリムで軽量であり、しかも様々なレンズサイズ及びレンズ形状に対応して作ることが出来、レンズ支えリム部のサイズを選択することで、各自の瞳孔に合うように両レンズを配置することが可能である。また、本発明のナイロール式メガネは高張力糸にて各部品を組み付けすることで、製作コストも安くなる。
【図面の簡単な説明】
【００１４】
【図１】本発明に係るナイロール式メガネを示す実施例で、（ａ）は構成部品である、バーフレームとレンズ支えリム部が分離している場合、（ｂ）はバーフレームにレンズ支えリム部をネジ止めし、高張力糸を穴に挿通した場合とレンズを示し、（ｃ）はレンズ支えリム部と高張力糸の間にレンズ嵌めた場合をそれぞれ示している。
【図２】本発明に係るナイロール式メガネを示す他の実施例で、（ａ）は構成部品である、バーフレームとレンズ支えリム部が分離していて、高張力糸を穴に挿通した場合、（ｂ）はレンズ支えリム部と高張力糸の間にレンズ嵌めた場合をそれぞれ示している。
【図３】本発明に係るナイロール式メガネも模式図で、（ａ）はレンズ支えリム部が小さくて両レンズの間隔が小さく成っている場合、（ｂ）はレンズ支えリム部が大きくて両レンズの間隔が大きく成っている場合を示している。
【図４】本発明に係るナイロール式メガネを示す別の実施例で、（ａ）は構成部品である、バーフレームとレンズ支えリム部が分離していて、高張力糸を穴に挿通した場合、（ｂ）はレンズ支えリム部と高張力糸の間にレンズ嵌めた場合をそれぞれ示している。
【図５】本発明に係るナイロール式メガネを示すさらなる別の実施例で、（ａ）は構成部品である、バーフレームとレンズ支えリム部が分離していて、高張力糸を穴に挿通した場合、（ｂ）はレンズ支えリム部がバーフレームのブリッジ部に当接している場合、（ｃ）はレンズ支えリム部と高張力糸の間にレンズ嵌めた場合をそれぞれ示している。
【図６】本発明に係るナイロール式メガネを示す別の実施例で、（ａ）はバーフレームにレンズ支えリム部をロウ付けした場合、（ｂ）は高張力糸を穴に挿通した場合、（ｃ）は（ｂ）の部分拡大図、（ｄ）はレンズそれぞれ示している。
【図７】図６に示すバーフレームとレンズ支えリム部とで高張力糸を介してレンズを保持した、本発明に係るナイロール式メガネを示す別の実施例
【図８】本発明に係る更なる別の実施例で、バーフレームにレンズ支えリム部を一体的に設けている場合。
【図９】従来の一般的なナイロール式メガネを示している。
【発明を実施するための形態】
【００１５】
図１は本発明に係るナイロール式メガネを示す実施例であり、同図の（ａ）はバーフレーム１とレンズ支えリム部２を表していて、レンズ支えリム部２がバーフレーム１と分離している状態である。バーフレーム１は中央部に真っ直ぐなブリッジ部３を設け、このブリッジ部３に上記レンズ支えリム部２がネジ止めされる。
そして、バーフレーム１は中央のブリッジ部３の両側には滑らかに湾曲しているフレーム４，４が延び、フレーム４，４の先端には継手５，５を介してツル６，６が折畳み出来るように連結している。
また、フレーム４，４の内側（内縁）にはガイド７，７が固定され、該ガイド７，７には溝８が形成されている。
【００１６】
レンズ支えリム部２は概略門形を成し、上片９の両側には下方へ延びる当り片１０，１０を設け、該当り片１０，１０の上部から蝶足１１，１１が斜め背面側下方に延びている。そして、レンズ支えリム部２はその上片１０がブリッジ部３にネジ止めされる。ここで、レンズ支えリム部２は両当り片１０，１０の間隔を小さくしたレンズ支えリム部２ａを取付けることも可能であり、小サイズのレンズ支えリム部２ａを取付けることで、左右の両レンズの間隔を縮めることが出来る。
【００１７】
図１の（ｂ）は上記ブリッジ部３にネジ止めして取付けたレンズ支えリム部２に高張力糸１２を取付けた場合であり、レンズ支えリム部２の当り片１０にはその上端と下端に小さい穴１３ａ，１３ｂを貫通して設けている。
高張力糸１２は一般にナイロン糸が用いられ、上記穴１３ａ，１３ｂに挿通した高張力糸１２の先端には溶融してボール１４ａ，１４ｂが形成されている。また、高張力糸１２はフレーム４に固定されているガイド７の溝８に係止している。
【００１８】
また、同図の（ｂ）にはレンズ１５を示しているが、レンズ１５の上縁には凹部１６を形成している。そして、図示していないがレンズ外周には高張力糸１２が嵌合することが出来る溝を設けていて、このレンズ１５はレンズ支えリム部２の当り片１０に当接すると共に、外周溝には高張力糸１２が嵌って同図の（ｃ）に示すように取付けられる。
ここで、当り片１０に当接するレンズ１５を安定して位置決めする為に、該当り片１０の内面に溝を形成し、この溝に短い高張力糸１２を嵌合すると共にレンズ外周溝にも一部を嵌めることが出来る。
【００１９】
レンズ１５が高張力糸１２に嵌るならば、該高張力糸１２には高い張力が働き、そして、フレーム４に固定されているガイド７にレンズ上縁に形成している凹部１６が係合していることで、該レンズ１５は安定して位置決めされる。
高張力糸１２の両先端に形成されるボール１４ａ，１４ｂはレンズ１５が嵌った状態で所定の張力が働くように最適な長さと成っている。
【００２０】
図２は本発明に係るナイロール式メガネを示す他の実施例である。基本的な形態は前記図１に示したナイロール式メガネと同じであるが、レンズ支えリム部２をネジ止めすることなく、レンズ１５が嵌る同じ１本の高張力糸１２にてバーフレーム１のブリッジ部３に固定している。
その為に、レンズ支えリム部２の当り片１０に設けた穴１３ａ，１３ｂの他に、上片９の端部にも穴１３ｃを設け、さらにブリッジ３の端部にも穴１３ｄを形成している。
【００２１】
そこで、上記高張力糸１２は同図に示すように、当り片１０に設けた穴１３ｂ→穴１３ａ→穴１３ｃ→穴１３ｄの順に挿通され、両先端にはボール１４ａ，１４ｂを形成している。逆に、穴１３ｄ→穴１３ｃ→穴１３ａ→穴１３ｂの順に挿通することも出来る。
そして、図２の（ｂ）に示すように、レンズ１５の外周溝に高張力糸１２を嵌めることで取付けることが出来る。レンズ上縁に形成した凹部１６にはガイド７が係合してレンズ１５は正しく位置決めされる。
【００２２】
高張力糸１２にレンズ１５が嵌るならば、該高張力糸１２には高い張力が作用し、レンズ支えリム部２の上片９はブリッジ部３に引き寄せられ、上片９はブリッジ部３に圧接して固定される。すなわち、前記図１に示したネジ止めした場合と同じように固定され、ネジ止め工程やロウ付け工程は不要となる。
【００２３】
図３は前記実施例で示したナイロール式メガネの模式図を表している。（ａ）はレンズ支えリム部２が小さい場合で、両当り片１０，１０の間隔は小さく、その為に両レンズ１５，１５は中央側に寄って取付けられる。（ｂ）はレンズ支えリム部２が大きな場合で、両当り片１０，１０の間隔は大きく、その為に両レンズ１５，１５は中央から離れて取付けられる。
しかも、同じレンズ支えリム部２の当り片１０，１０の間隔を点線で示すように調整することも可能であり、それぞれの人の瞳孔にレンズ１５，１５の焦点が一致するように取付けすることが可能となる。
【００２４】
図４は本発明に係るナイロール式メガネを示す別の実施例であり、バーフレーム１とレンズ支えリム部１７、高張力糸１２、及びレンズ１５にて構成されている。同図に示したナイロール式メガネでは、前記図１、図２に示した実施例のレンズ支えリム部２とは異なり、レンズ１５の下側半分が嵌って支持することが出来る長さと成っている。その為に、バーフレーム１のフレーム４にはガイド７はなく、レンズ１５の上縁には凹部１６を形成していない。
【００２５】
そして、レンズ支えリム部１７は高張力糸１２によってバーフレーム１のブリッジ部３に取付けられる。そこで、レンズ支えリム部１７には穴１３ａ，１３ｂ，１３ｃが設けられ、またブリッジ部３には穴１３ｄを形成している。そして、これら各穴１３ｂ，１３ａ，１３ｃ，１３ｄに高張力糸１２が挿通し、両先端にはボール１４ａ，１４ｂを形成している。
ところで、レンズ支えリム部１７と高張力糸１２の間にレンズ１５を嵌めるならば、高張力糸１２は引っ張られて大きな張力が働き、その為にレンズ支えリム部１７はバーフレーム１のブリッジ部３に固定される。
【００２６】
図５は本発明のナイロール式メガネを示すさらなる別の実施例である。基本形態は前記図４に示した実施例と同じであるが、バーフレーム１のブリッジ部１８とレンズ支えリム部１７の上片１９の形態を異にしている。レンズ支えリム部１７の上片１９はバーフレーム１のブリッジ部１８に当接して固定されるが、該実施例ではブリッジ部１９の正面に上片１９の背面が当接することが出来るようにしている。
【００２７】
レンズ支えリム部１７には穴２０ａ，２０ｂ，２０ｃが設けられ、ブリッジ部１８には穴２０ｄが形成され、そして、ブリッジ部１８の先端にはＶ形の切込み２１を設けている。
そこで、高張力糸１２を同図の（ａ）に示すように穴２０ａ→穴２０ｄ→切込み２１→穴２０ｂ→穴２０ｃを順に挿通するならば、同図の（ｂ）のようになる。そして、レンズ１５をレンズ支えリム部１７と高張力糸１２の間に嵌めるならば、該高張力糸１２には高い張力が作用し、レンズ支えリム部１７はハーフレーム１のブリッジ部１８に固定される。すなわち、高張力糸１２に働く張力にて上片１９はブリッジ部１８に引き寄せられて固定される。
【００２８】
図６は前記図１、図２に示したナイロール式メガネとは異なり、さらに別形態をした実施例であり、同図の（ａ）に示しているように、バーフレーム２２とレンズ支えリム部２３はロウ付けされている。バーフレーム２２の概略形状は前記図１、図２に表しているバーフレーム１と同じく、中央のブリッジ部２４の両側へ滑らかに湾曲したフレーム２５，２５を延ばし、該フレーム２５の中間部には高張力糸を引っ掛けて止着する為のガイドホール２６，２６が所定の間隔をおいて設けている。
【００２９】
レンズ支えリム部２３の形状も前記図１、図２し示したレンズ支えリム部２と共通しているが、この実施例のレンズ支えリム部２３は比較的薄い板材にて形成されていて、上片２７と当り片２８，２８を有す概略門型を成し、上記上片２７がバーフレーム２２のブリッジ部２４にロウ付けされている。
そして、上記当り片２８には高張力糸が挿通する穴２９ａ，２９ｂ，２９ｃが貫通し、また、凹溝３０を形成している。
【００３０】
図６（ｂ）は上記（ａ）に示したバーフレーム２２及びレンズ支えリム部２３に高張力糸３１を係止した場合を表している。該高張力糸３１は当り片２８に設けた穴２９ｂ→凹溝３０→穴２９ｃ→フレーム２５に形成したガイドホール２６，２６→穴２９ａを順に通って係止している。
同図（ｂ）の部分拡大図を（ｃ）に示しているように、上記穴２９ｂを挿通して凹溝３０に係止するに当たって、高張力糸３１は当り片２８の表面を横断することになり、その為に表面には高張力糸３１が凸部と成って露出する。
この凸部となった高張力糸３１にレンズ３２の外周に形成した凹部３３が係合して、該レンズ３２の回転が防止される。
【００３１】
図７は図６（ｂ）に示すようにバーフレーム２２及びレンズ支えリム部２３に係止した高張力糸３１にレンズ３２を取付けた状態を表している。
図６に示す実施例では、バーフレーム２２とレンズ支えリム部２３とがロウ付けされることで両パーツを別々に組み合わせて各種サイズのバリエーションを作ることは出来ないが、図７（ｂ）に示すようにレンズ支えリム部２３の両当り片２８，２８は同図の点線で表しているように折り曲げ箇所を変えることで、左右のレンズ間距離を調整することが出来る。その為に、レンズ支えリム部２３は折り曲げ易いように薄い板材にて構成している。
【００３２】
図８は本発明に係るナイロール式メガネの更なる別形態を示す実施例である。この実施例では同図（ａ）に示しているように、レンズ支えリム部はバーフレーム３４と一体化されていて、中央のブリッジ部３５の両側からその一部が折り曲げられて、下方へ延びる当り片３５，３５を形成している。
この当り片３５は上記図６（ａ）に示した当り片２８とほぼ同じ形態を成し、高張力糸３６の通し方もほぼ共通しているが、当り片３５の先端には２個の穴３７ａ，３７ｂを貫通して設けている。したがって、高張力糸３６の先端にはボールを形成することなく、図８（ｃ）に示すように近接する２個の穴３７ａ，３７ｂに高張力糸３６が係合することで止着される。
【符号の説明】
【００３３】
１   バーフレーム
２   レンズ支えリム部
３   ブリッジ部
４   フレーム
５   継手
６   ツル
７   ガイド
８   溝
９   上片
10   当り片
11   蝶足
12   高張力糸
13   穴
14   ボール
15   レンズ
16   凹部
17   レンズ支えリム部
18   ブリッジ部
19   上片
20   穴
21   切込み
22   バーフレーム
23   レンズ支えリム部
24   ブリッジ部
25   フレーム
26   ガイドホール
27   上片
28   当り片
29   穴
30   凹溝
31   高張力糸
32   レンズ
33   凹部
34   バーフレーム
35   ブリッジ部
36   高張力糸
37   穴
38   当り片
【図１】
2018112730.tif 000003
【図２】
2018112730.tif 000004
【図３】
2018112730.tif 000005
【図４】
2018112730.tif 000006
【図５】
2018112730.tif 000007
【図６】
2018112730.tif 000008
【図７】
2018112730.tif 000009
【図８】
2018112730.tif 000010
【図９】
2018112730.tif 000011